(57)【要約】【課題】ゲーム機械において、大型のぬいぐるみなどを景品として提供し、実際には賞品として交換用キーだけを付与することにより、該ゲーム機械を簡略化し且つ小型化するとともに、交換用キーが紛失することを減らす。【解決手段】ロッカーなどに設置する二連錠装置において、施錠されていると、管理用キーによる解錠作動が無効になって交換用キーのみを回して解錠でき、解錠とともに該交換用キーは錠に差し込まれたままで施錠作動が無効になり、一方、管理用キーで施錠すると、交換用キーを錠から引き抜くことができる。【選択図】      図２
2004150057.tif 000002
【特許請求の範囲】
【請求項１】
ラッチが施錠位置にあると、管理用キーによる解錠作動が無効になって交換用キーのみがラッチを後退させることができ、交換用キーを回してラッチを解錠位置に駆動すると、該交換用キーは錠に差し込まれたままで施錠作動が無効になり、一方、管理用キーでラッチを施錠位置まで前進させることができ、ラッチが施錠位置に達すると、交換用キーを錠から引き抜くことができる二連錠装置。
【請求項２】
ラッチが施錠位置にあると、管理用キーによる解錠作動が無効になって交換用キーのみがラッチを後退させることができ、交換用キーを回してラッチを解錠位置に駆動すると、管理用キーでラッチを施錠位置まで前進させることができ、ラッチが施錠位置に達すると、交換用キーを錠から引き抜くことができる二連錠装置であって、枠プレートに所定間隔をおいて取り付けた管理用および交換用の錠と、２台の錠間において枠プレートに水平に固着したガイド板と、該ガイド板に沿って前後動可能なラッチと、該ラッチを後方へ付勢するスプリングと、管理用の錠のロータに固着した施錠レバーと、交換用の錠のロータに固着し且つバネによって前方へ付勢する解錠レバーとを備え、施錠レバーを回してラッチを前進させると、その前進に伴って解錠レバーが回ってラッチを施錠位置で固定し、一方、解錠レバーを回してラッチの固定状態から解放すると、該ラッチはスプリングによって後退し、その後退作動によってラッチが解錠位置に達する二連錠装置。
【請求項３】
矩形平面のラッチには横長開口および下方ノッチとを形成し、さらにラッチ内部に圧縮スプリングを嵌装した支持棒を水平に固着し、施錠レバーのピンはラッチの横長開口に嵌り、且つ解錠レバーのピンがラッチの下方ノッチと係合・脱離可能である請求項２記載の二連錠装置。
【請求項４】
縦方向に並設した複数の格納室と、各格納室において開閉自在に取り付け且つ扉板の少なくとも一部が透明である前面扉と、該前面扉にそれぞれ固着する二連錠装置とを備えるロッカーであって、前記二連錠装置は、ラッチが施錠位置にあると、管理用キーによる解錠作動が無効になって交換用キーのみがラッチを後退させることができ、交換用キーを回してラッチを解錠位置に駆動すると、交換用キーは錠に差し込まれたままで施錠作動が無効になり、管理用キーでラッチを施錠位置まで前進させることができ、ラッチが施錠位置に達すると、交換用キーを錠から引き抜くことができるロッカー。
【請求項５】
ゲーム機械でプレイして得たポイントに応じて、該ゲーム機械から賞品として所定の交換用キーを送り出す景品提供方法であって、ゲーム機械の近傍に複数の格納室を有する少なくとも１台のロッカーを設置し、該ロッカーの格納室の各前面扉は少なくとも一部が透明の扉板を有し、各格納室に景品を収納してラッチが施錠位置にあると、管理用キーによる解錠作動が無効であり、交換用キーを回してラッチを解錠位置に駆動させると、前面扉を開いて景品を取り出せるとともに、交換用キーは錠に差し込まれたままで施錠作動が無効になり、前面扉を閉じる際には管理用キーのみでラッチを施錠状態まで駆動し、ラッチが施錠位置に達すると、交換用キーを錠から引き抜くことができるゲーム機械の景品提供方法。
【発明の詳細な説明】
【０００１】
【発明の属する技術分野】
本発明は、交換用キーが錠本体から外せない二連錠装置に関し、さらにこの二連錠装置を取り付けたロッカーによって大型のぬいぐるみなどを景品にできるゲーム機械の景品提供方法に関する。
【０００２】
【従来の技術】
青少年世代に人気があるゲームセンターは、アーケードゲームとも称する各種のゲーム機械を並べた市中の遊技場である。ゲーム機械でプレイするには、現金で購入したコインをゲーム機械に投入するとゲーム開始になり、ゲームで高得点を獲得すると再プレイできるのが一般的である。この種のゲームセンターは、既に繁華街では乱立気味であるうえに、顧客の獲得に際してパチンコやマージャンなどの他のゲーム産業と競合しやすく、ゲームセンターの経営者は集客のために種々の試みを行うことが必要になっている。
【０００３】例えば、従来のゲームセンターも変身が必要であり、最近ではカジノ風のスタイルで営業したり、ＵＦＯキャッチャ（商標名）のような景品が獲得できる各種のプライズ機を設置している。カジノ風のゲームセンターでは、現金をチップに換えることによって各種のゲームに挑戦するが、いくら勝っても、チップを換金すると賭博罪が適用されるため、チップをいくら貯めてもただのプラスチック板にすぎず、これでは換金可能なパチンコに比べて遊ぶ人は多くならない。
【０００４】
【発明が解決しようとする課題】
景品が獲得可能なプライズ機では、キャラクター商品、玩具、菓子類、雑貨品などを賞品として機械内部に収納しておくことが必要である。プライズ機の寸法は、ゲームセンターの敷地面積に対応するように一定の限界があるので、機械内部に収納可能な景品の数と大きさも自ずから限定されてしまい、若い女性の興味を引きやすい大型のぬいぐるみなどを景品にすることができない。大型の景品については、それを景品引換所で交換することは可能であっても、この場合には実際の商品を確認しながらゲームを進めることができず、この種のプライズ機がプレーヤに与えるインパクトはあまり大きくならない。
【０００５】一方、カジノ風のゲームセンターにおいて、勝ち取ったチップを直接換金できる機能をゲーム機械に搭載することはできなくても、獲得チップ枚数に応じて所定の景品と交換することは可能である。この場合、獲得チップを景品交換所で枚数に応じた景品と交換することを要し、景品交換所の新設および担当従業員の採用が必要になり、ゲームセンターにおける必要経費が相当に増大してしまう。これは、景品が獲得可能なプライズ機について大型のぬいぐるみを景品交換所で交換する場合でも同様である。景品交換所の設置自体は、パチンコ遊技場と同じであっても、換金不可能な点においてゲームセンターは明らかに不利である。
【０００６】本発明は、大型の商品を収納できるロッカーに用いる錠に関して提案されたものであり、ゲームセンターに関する前記の問題点を解消するために利用することができる。本発明の目的は、管理用キーおよび交換用キーの２本のキーを併用し、貸ポストや商品即売用ガラスケースなどにも適用できる二連錠装置を提供することである。本発明の他の目的は、コインなしで開閉でき且つ交換用キーが外せないので紛失しないロッカーを提供することである。本発明の別の目的は、ゲームセンターにおいて景品交換所およびチップ変換作業が不要であるゲーム機械の景品提供方法を提供することである。
【０００７】
【課題を解決するための手段】
上記目的を達成するために、本発明に係る二連錠装置では、ラッチが施錠位置にあると、管理用キーによる解錠作動が無効になって交換用キーのみがラッチを後退させることができ、交換用キーを回してラッチを解錠位置に駆動すると、該交換用キーは錠に差し込まれたままで施錠作動が無効になる。一方、管理用キーのみでラッチを施錠位置まで前進させることができ、ラッチが施錠位置に達すると、交換用キーを錠から引き抜くことができる。
【０００８】本発明の二連錠装置は、より具体的には、枠プレートに所定間隔をおいて取り付けた管理用および交換用の錠と、２台の錠間において枠プレートに水平に固着したガイド板と、該ガイド板に沿って前後動可能なラッチと、該ラッチを後方へ付勢するスプリングと、管理用の錠のロータに固着した施錠レバーと、交換用の錠のロータに固着し且つバネによって前方へ付勢する解錠レバーとを備える。この二連錠装置において、施錠レバーを回してラッチを前進させると、その前進に伴って解錠レバーが回ってラッチを施錠位置で固定し、一方、解錠レバーを回してラッチの固定状態から解放すると、該ラッチはスプリングによって後退し、その後退作動によってラッチが解錠位置に達する。この二連錠装置は、矩形ラッチには横長開口および下方ノッチとを形成し、さらにラッチ内部に圧縮スプリングを嵌装した横棒を水平に固着し、施錠レバーのピンはラッチの横長開口に嵌り、且つ解錠レバーのピンがラッチの下方ノッチと係合・脱離可能であると好ましい。
【０００９】本発明に係るロッカーは、縦方向に並設した複数の格納室と、各格納室において開閉自在に取り付け且つ扉板の少なくとも一部が透明である前面扉と、該前面扉にそれぞれ固着する二連錠装置とを備える。このロッカーには、前記の二連錠装置を取り付ければよい。
【００１０】本発明に係る景品提供方法は、ゲーム機械でプレイして得たポイントに応じて、該ゲーム機械から賞品として所定の交換用キーを送り出している。この景品提供方法では、ゲーム機械の近傍に複数の格納室を有する少なくとも１台のロッカーを設置し、該ロッカーの格納室の各前面扉は少なくとも一部が透明の扉板を有し、各格納室に景品を収納してラッチが施錠位置にあると、管理用キーによる解錠作動が無効であり、交換用キーを回してラッチを解錠位置に駆動させると、前面扉を開いて景品を取り出せるとともに、交換用キーは錠に差し込まれたままで施錠作動が無効になり、前面扉を閉じる際には管理用キーのみでラッチを施錠状態まで駆動し、ラッチが施錠位置に達すると、交換用キーを錠から引き抜くことができる。
【００１１】
【発明の実施の形態】
本発明の二連錠装置１は、錠３として通常のシリンダ錠および錠５としてピンタンブラー錠を併用しており、ピンタンブラー錠の交換用キー７０（図８）は比較的厚みがあって大型にでき、ゲームの賞品としての存在感があるうえに、該キーの偽造が困難であるから商品保管に用いるときわめて有益である。二連錠装置１においては、錠３，５をいずれも通常のシリンダ錠またはピンタンブラー錠に定めることも可能である。
【００１２】二連錠装置１において、枠プレート２を複数枚を組み合わせて密閉状にしたり、枠プレート２を一部打ち抜いてガイド板の役目を持たすことも可能である。また、ラッチ７を後方へ付勢するスプリング３６は、通常の圧縮スプリングのほかに板ばねのような他の弾性部材を使用してもよく、これはコイルバネ８０についても同様である。
【００１３】交換用キー７０は、解錠した際に錠５に差し込まれたままになるので紛失されることが少ないけれども、ゲームを行う不特定多数の人間の手に渡るため、紛失が生じる可能性は多少生じてしまう。錠５のピンタンブラー錠は、キー７０を紛失した場合には二連錠装置１の全体を分解することなく、錠本体７４だけを枠プレート２から前方へ引き出せるように構成することも可能である。この場合には、錠本体７４を嵌め込む円筒体を枠プレートに固着し、ロータ６６の後方部を分離し、装着時に錠本体のロータ前方部と接続できるジョイント構造にすることが必要である。
【００１４】ロッカー１１２では、各前面扉１１６を勝手に施錠することができず、管理用キー５０を持たない者が勝手に使用することもできない。この前面扉は、通常の旋回式でも巻上げシャッタ式などのいずれでもよく、解錠時に各格納室１１４が開口していると、該格納室に勝手に物品を入れられることがいっそう減るので好ましい。管理用キー５０は、ロッカー１１２の格納室１１４ごとに異なっていても全格納室で同じであってもよく、該キーが同一であると商品収納作業が迅速になる。
【００１５】本発明の景品提供方法では、賞品として交換用キーをゲーム機械から送り出すだけであり、該キーを小さくするだけでプライズ機などの寸法を劇的に縮小化でき、一般のゲーム機械に景品提供機能を付加することも可能になる。この景品提供方法を適用できるゲーム機械は、ＵＦＯキャッチャ（商標名）、ミニクレーン、パチンコゲーム、スロットマシンのようなプライズ機だけでなく、多少の改良を加えると一般のゲーム機械にも適用できる。
【実施例】
次に、本発明を実施例に基づいて説明するが、本発明は実施例に限定されるものではない。本発明の二連錠装置１は、図１から図６に示すように、Ｌ字形平面の枠プレート２を有し、該枠プレートの表面部４において管理用シリンダ錠３および交換用シリンダ錠５を垂直方向に所定間隔をおいて取り付ける。錠３，５は、さらに箱形のケース（図示しない）でカバーしている。
【００１６】横長の矩形平面である箱形のラッチ７は、錠３，５間において枠プレート２に水平に固着したガイド板８に沿って前後動可能である。ガイド板８は、横長の矩形平面を有し、その横中央部を枠プレート２の裏面に図番９，９でカシメ止めし、該ガイド板の上下辺部１０，１２が平行に屈曲し、枠プレート裏面から僅かに離隔している（図５と図６参照）。図３から明らかなように、ラッチ７は、枠プレート２の側面部１４に設けた横Ｕ字形の貫通孔１６から突出可能な前方部１８が横Ｕ字形断面である。図５と図６に示すように、ラッチ７の後方部２１は、Ｕ字形断面の両側部の先端がさらに内方へ直角に屈曲し、この屈曲辺部２０，２０が枠プレート裏面とガイド板８の上下辺部１０，１２との間に嵌ることにより、ラッチ７がガイド板８から脱離することはない。
【００１７】ラッチ７において、矩形で平坦な後方壁２２（図２）に横長開口２４および下方ノッチ２６とを形成する。横長開口２４は、後方壁２２の中央より少し上方に配置し、該後方壁のほぼ左端より中央近傍まで設ける。一方、下方ノッチ２６は、後方壁２２の下端部において該上方壁の左端より所定の長さに設ける。横長開口２４には施錠レバー２８の内向きピン３０を遊嵌し、一方、ノッチ２６には解錠レバー３２の内向きピン３４が係合可能である。
【００１８】ラッチ７の内部には、圧縮スプリング３６と該スプリングを嵌装する支持棒３８とを配置し、該支持棒は枠プレート側面部１４の貫通孔４０（図３）を通過させる。支持棒３８は、ラッチ７とほぼ同じ長さであり、該ラッチの後方壁４２に挿通した丸頭ボルト４４を支持棒後端面のねじ孔４６（図６）に締着することにより、該支持棒をラッチ７と平行に固着している。スプリング３６は、枠プレート側面部１４とラッチ後方壁４２との間に介在させ、ラッチ７が前進すると後方へ付勢する。
【００１９】施錠レバー２８は、上方の管理用シリンダ錠３のロータ４８に固着し、該ロータは管理用キー５０（図７）で旋回できる。図５に示すように、シリンダ錠３は、前方の大径部５２および後方の雄ねじ部５３を有する非円形断面の錠本体５４と、該本体に回転自在に嵌入したロータ４８とからなる。錠本体５４の雄ねじ部５３は、枠プレート表面部４に設けた同断面の非円形孔５６に嵌入し、薄ナット５８の締着によって枠プレート２に固着し、シリンダ錠３の前面が枠プレート２から露出する（図１参照）。一方、ロータ４８の後方部は、雄ねじを設けた非円形体であり、これと同断面の貫通孔を有するカム６０、施錠レバー２８、歯付き座金６２をロータ４８に挿通した後にナット６４で締め付けて、カム６０およびレバー２８をロータ４８に固着する。カム６０は、その一部が錠本体５４の後方突出部６５（図２）に係止されることにより、ロータ４８の旋回を制限している。
【００２０】図２を参照すると、施錠レバー２８におけるロータ挿通用の非円形貫通孔６７はレバー上方に位置し、且つ内向きピン３０はレバー下方に位置するとともにレバー中心線から僅かに左方にずれている。ピン３０は、常にラッチ７の横長開口２４内に位置し、ラッチ前進位置つまり施錠位置では横長開口２４内だけで旋回可能であって、ラッチ７の移動に影響を与えることはない。図４から明らかなように、ラッチの後退位置つまり解錠位置では、ピン３０は横長開口２４の内側面と接触しており、該ピンが旋回するとラッチ７を前進させ、この位置においてレバー貫通孔が若干の遊びを有することでレバー２８が僅かに傾斜することもある。
【００２１】一方、解錠レバー３２は、下方の交換用シリンダ錠５のロータ６６に固着し、該ロータは交換用キー７０（図８）で旋回できる。図５に示すように、シリンダ錠５は、前方の大径部７２および後方の雄ねじ部７３を有する非円形断面の錠本体７４と、該本体に回転自在に嵌入したロータ６６とからなる。錠本体７４の雄ねじ部７３は、枠プレート表面部４に設けた同断面の非円形孔７６に嵌入し、薄ナット７８の締着によって枠プレート２に固着し、シリンダ錠５の前面が枠プレート２から露出する（図１参照）。一方、ロータ６６の後方部は、雄ねじを設けた非円形体であり、錠本体７４にコイルバネ８０を嵌装してから、ロータ後方部と同断面の貫通孔を有するカム８１、解錠レバー３２、歯付き座金８２をロータ６６に挿通した後にナット８４で締め付けて、カム８１およびレバー３２をロータ６６に固着する。カム８１は、その一部が錠本体７４の後方突出部８３（図２）に係止されることにより、ロータ６６の旋回を制限している。
【００２２】図２を参照すると、解錠レバー３２におけるロータ挿通用の非円形貫通孔８５はレバー下方に位置し、レバー３２がロータ６６のキー差し込み位置からかなり左側に傾くように前記貫通孔の傾斜角度を定め、且つ内向きピン３４はレバー上方に位置している。コイルバネ８０の一端８７をＵ字状に屈曲してレバー３２の側面に掛け止めし、且つ他端を枠プレート２の側面部１４に係止させることにより、解錠レバー３２は、常に図２の時計向きに付勢されている。このため、ピン３４は、ラッチ前進位置では下方ノッチ２６の内側面と接触してラッチ７の後退を阻止し、ラッチ後退位置では、ノッチ２６から外れてラッチした側面と接触している（図４参照）。
【００２３】二連錠装置１において、管理用キー５０（図７）で施錠可能な上方のシリンダ錠３は通常のシリンダ錠であればよく、交換用キー７０（図８）で解錠可能な下方のシリンダ錠５には、例えばピンタンブラー錠を用いる（図１と図８参照）。筒状のピンタンブラー錠５は、錠本体７４、該錠本体内の後方部で静止した固定体（図示しない）、該固定体で支持され且つ錠本体７４内で回転できるロータ６６（図５）とを備える。
【００２４】図１に示すように、錠本体７４の前面部には、内周縁からキー孔８６まで内向きにフランジ部８８が形成されており、該フランジ部の一部に交換用キー７０の突出部９０，９０の通過が可能な凹部９２，９２を形成している。フランジ部８８の環状後端面は、旋回したキー７０の突出部９０，９０が当接して抜け止めとして機能する。ロータ６６の軸方向の移動は、錠本体７４の内周壁の環状段部（図示しない）によって規制されている。錠本体７４内の前記固定体は、その外径が錠本体の内径とほぼ等しく、軸ピン（図示しない）によって錠本体７４に一体的に固定している。この固定体には、前端面に中央孔が穿設され、該中央孔には、ロータ６６の中間大径部から後方へ延設するロータ軸部９４（図５）を嵌入し、該軸部は錠本体から後方へ露出している。一方、ロータ６６の中間大径部から前方には小径部９６を突設しており、該小径部にはキー７０の内方突起９８を係合させる切欠凹溝１００を形成している。
【００２５】ロータ６６の中間大径部の前端面には、軸心を中心とする円周上に貫通ピン孔を４等分ずつ８個設け、各貫通ピン孔にそれぞれコードピン１０２（図１）を挿入し、この貫通ピン孔は、凹部９２，９２の近傍位置には穿設していない。図示しないけれども、コードピン１０２の長さは、各々について同一または異なっており、キー７０に設けるピン押圧用のカム溝１０４の深さに応じて設定している。一方、前記固定体には、ロータ６６に穿設された８個の貫通ピン孔と対応させて有底のピン挿入孔が軸線と平行に穿設され、各ピン挿入孔にそれぞれ小コイルバネとアンダーピンを収納している。このアンダーピンは小コイルバネによって前方に付勢され、該アンダーピンを介してコードピンが前方に突出し、内向きフランジ部８８の環状後端面にコードピン１０２の先端が当接する。各アンダーピンの長さは通常同一であり、その下部に脚部を設けて、脚部にコイルバネを嵌装する。この脚部の長さは、キー７０が挿入口８６から挿入されてコードピン１０２が押し込まれ、各コードピンの後端面とアンダーピンの先端部との接触位置がロータ６６の中間大径部の後端面と固定体の前端面の当接位置に一致するのに支障がないように設定し、前記ピン挿入孔は有底でも貫通でもよい。ロータ６６の中間大径部の後端面と固定体の前端面とが当接して回転することが容易なようにアンダーピンの先端は半球状に加工している。
【００２６】下方のシリンダ錠５がピンタンブラー錠であると、前方部１０６が筒体である交換用キー７０を用いることになり、該キーは比較的大型で賞品としての存在感がある。このピンタンブラー錠は、キー７０の偽造が困難なことから多用され、通常のシリンダ錠と同様に、個々のピンタンブラー錠に対応した固有のキーで解錠と施錠を行うのが一般的である。ピンタンブラー錠は、パチンコ台や自動販売機のような機械の扉に取り付けることが多く、キーを紛失した場合には錠全体を分解することなく、錠本体だけを枠プレート２から前方へ引き出せるように構成することも可能である。
【００２７】二連錠装置１において、ラッチ７が図１や図２に示すような施錠位置にあると、管理用キー５０を錠３のキー孔１０８に差し込んで回しても、施錠レバー２８の旋回はカム６０によって規制され、レバーピン３０は、ラッチ横長開口２４内で旋回するだけで、ラッチ７を後退させることはできない。
【００２８】一方、交換用キー７０を錠５のキー孔８６に差し込むと、キー前方部１０６における突出部９０，９０がフランジ部８８の凹部９２，９２を通過し、各カム溝１０４の深さに応じて８個のコードピン１０２を下方へ押し込む。この結果、各コードピン１０２を介してアンダーピンを下方へ押し、８本全てのアンダーピンの先端位置がロータ６６の中間大径部の後端面と固定体の前端面の当接位置とに一致し、さらにキー内方突起９８がロータ６６の小径部９６の切欠凹溝１００に嵌入されることにより、キー７０によって錠５のロータ６６を旋回することができる。キー７０を図１の時計向き、つまり解錠レバー３２をコイルバネ８０の弾力に逆らって図２の反時計向きに回すと、レバーピン３４がラッチ７のノッチ２６から外れ、ラッチ７はスプリング３６の弾力によって後退する。この後退運動は、カム６０で旋回停止した施錠レバー２８のピン３０と横長開口２４の内側面とが接触するまで行われる。
【００２９】解錠レバー３２を回してラッチ７を後退させると、図４に示すように解錠レバー３２のピン３４がラッチ下側面１１０と接触し、該レバー３２は図２のキー差し込み位置まで戻れない。このため、交換用キー７０の突出部９０，９０は、錠５におけるフランジ部８８の凹部９２，９２の位置まで戻れず、錠５に差し込まれたままの状態となる。
【００３０】図４のラッチ位置で扉は開く。ロッカー収納物などを取り出して再び扉を閉じ、管理用キー５０を錠３のキー孔１０８に差し込み、施錠レバー２８を図４の反時計向きに回すと、スプリング３６の弾力に逆らって、ピン３０および横長開口２４を介してラッチ７を前進できる。ラッチ７の前進とともに、ノッチ２６が前進して解錠レバー３２のピン３４の位置を越えると、該解錠レバーはコイルバネ８０の弾力によって図２の位置まで旋回し、ピン３４がノッチ２６に嵌ることにより、ラッチ７は前進位置で静止されて後退することができない。この旋回の結果、交換用キー７０の突出部９０，９０がフランジ部８８の凹部９２，９２の位置まで戻り、キー７０は各コードピン１０２の反発力に押されて錠５のキー孔８６から取り出せる。
【００３１】二連錠装置１は、図９に例示するようなロッカー１１２に取り付けることができる。ロッカー１１２は、縦方向に並設し且つ下方に向かって容積が小さい５個の直方体形の格納室１１４を有し、各格納室の前方側部に所定の大きさの前面扉１１６を垂直方向に枢着することにより、該前面扉を水平方向に開閉自在に取り付ける。各前面扉１１６は、通常全て同じ外観であり、不透明の枠体１１８の中央に透明の扉板１２０を固着している。二連錠装置１を各前面扉１１６を取り付けるには、枠体１１８の縦枠部に錠３，５の前面形状に応じた貫通孔を設け、該縦枠部の後側から二連錠装置１を接触させ、貫通孔１２２，１２２（図１）においてピン止めし、さらに表側に装飾板を貼り付けてもよい。
【００３２】ロッカー１１２の各格納室１１４には、前面扉１１６を閉じた際に二連錠装置１のプレート表面部４と接触する内側面部に、矩形孔を設けた受板（図示しない）を取り付ける。この受板の矩形孔は、ラッチ７の前方部１８が嵌り込む有底孔である。
【００３３】ロッカー１１２において、各格納室１１４内にぬいぐるみなどの景品を収納して二連錠装置１が施錠されていると、管理用キー５０では解錠作動が無効になって扉１１６を開くことはできない。この施錠時には、交換用キー７０でラッチ７を後退させ、扉１１６を開いて景品を取り出せるけれども、交換用キー７０は錠５に差し込まれたままになり、該キーを持ち帰ったり他の用途に転用することはできない。
【００３４】また、開いた扉１１６を勝手に施錠することは不可能であるので、管理用キー５０を持たない者が勝手にロッカー１１２を使用することもできない。管理用キー５０は、ロッカー１１２の各格納室１１４について同一であってもよく、該キーによってラッチ７を前進させて施錠でき、該ラッチが施錠位置に達すると、交換用キー７０を錠５から引き抜き、賞品としてまとめてプライズ機などに収納すればよい。
【００３５】図１０には、二連錠装置１を各前面扉に取り付けたロッカー１１２の使用例を示す。ロッカー１１２は、水平の装飾ブリッジ部材１２４を介して同一寸法である別のロッカー１２６と並列設置し、ロッカー１１２，１２６間の距離は、中央に配置するゲーム機械１２８の横幅に応じて適宜調整できる。別のロッカー１２６は、格納室の数が６個であり、その大きさがロッカー１１２と多少異なっている。ゲーム機械１２８は、通常のプライズ機であればどのタイプでもよく、交換用キー７０を多数本収納するだけであるから、通常品よりも内部容積を小さくできる。
【００３６】ロッカー１１２，１２６には、あらかじめ管理用キー５０を用いて各格納室に大型のぬいぐるみなどの景品を入れておく。ゲーム機械１２８でプレイする場合、ロッカー１１２，１２６に収納した多数の景品を透明の扉板を通して目の前で見ることができ、しかも大型で高価な商品を景品にできるので、ゲームに対する関心が高まり、好きな景品を得ようとする意欲も湧く。
【００３７】ゲーム機械１２８は、ゲームで得たポイントに応じて、賞品として交換用キー７０を送り出すだけでよい。所定の番号の交換用キー７０を得たプレーヤは、該キーの番号と一致する格納室において、該キーを錠５のキー孔に差し込んで扉１１６を開いて所定の景品を取り出せばよい。扉１１６を解錠すると、交換用キー７０は錠５に差し込まれたままになり、該キーを勝手に持ち去ることはできない。扉１１６を閉じる際には、管理用キー５０を錠３に差し込んで回し、ラッチ７が施錠位置に達して施錠されると、交換用キー７０を錠５から引き抜くことができる。
【００３８】
【発明の効果】
本発明に係る二連錠装置では、解錠した際に交換用キーを錠本体から引き抜くことができないので、該キーが紛失してしまうことが少なくなり、交換用キーの不正使用も減少する。また、本発明の二連錠装置をロッカーなどに適用した場合、該二連錠装置を設置した格納室は多数台であっても、施錠するための管理用キーを管理者が保持しているから、物品を収納して交換用キーを渡す時に相手をその都度確認できる。本発明の二連錠装置は、ゲーム機械用だけでなく、貸ポスト、商品即売用ガラスケース、銀行の貸金庫、ホテルの貸キャビネットなどにも適用できる。
【００３９】本発明のロッカーは、管理用キーを持たない者が勝手にロッカーを使用することができず、格納室内に危険物や盗難品が収納される恐れがない。用いる管理用キーをロッカーの各格納室について同一にすると、個々の商品を各格納室へ搬入して施錠することが容易になり、商品収納作業が迅速に完了する。しかも施錠だけの管理用キーが盗まれて商品自体の盗難されることはないから、管理用キーの保管は容易であって盗難が発生することも少ない。
【００４０】本発明に係る景品提供方法は、ゲーム機械の賞品として交換用キーだけを付与することになるため、該ゲーム機械を簡略化し且つ小型化できる。この景品提供方法では、景品をロッカーの格納室に収納できることにより、ぬいぐるみのような大型の商品を景品として提供できる。この景品提供方法は、プレーヤがその商品を直接見ることができてゲームの興趣を高め、しかもチップ変換や景品交換の従業員が不要になるという経済的な利点もある。
【図面の簡単な説明】
【図１】本発明に係る二連錠装置の施錠状態を示す拡大正面図である。
【図２】施錠状態の二連錠装置を裏側を一部除去して示す背面図である。
【図３】図１の二連錠装置を示す側面図である。
【図４】解錠状態の二連錠装置を示す図２と同様の背面図である。
【図５】図２のＡ−Ａ線に沿って切断した要部縦断面図である。
【図６】図２のＢ−Ｂ線に沿って切断した水平断面図である。
【図７】本発明で用いる管理用キーの一例を示す拡大平面図である。
【図８】本発明で用いる交換用キーの一例を示す拡大斜視図である。
【図９】本発明に係るロッカーの一例を示す正面図である。
【図１０】本発明を適用したプライズ機の一例を示す概略正面図である。
【符号の説明】
１  二連錠装置
２  枠プレート
３  管理用シリンダ錠
５  交換用シリンダ錠
７  ラッチ
８    ガイド板
２４  横長開口
２６  下方ノッチ
２８  施錠レバー
３０  内向きピン
３２  解錠レバー
３４  内向きピン
３６  圧縮スプリング
３８  支持棒
５０  管理用キー
７０  交換用キー
８０  コイルバネ
１１２  ロッカー
１１６  前面扉
１２８  ゲーム機械
【図１】
2004150057.tif 000003
【図２】
2004150057.tif 000004
【図３】
2004150057.tif 000005
【図４】
2004150057.tif 000006
【図５】
2004150057.tif 000007
【図６】
2004150057.tif 000008
【図７】
2004150057.tif 000009
【図８】
2004150057.tif 000010
【図９】
2004150057.tif 000011
【図１０】
2004150057.tif 000012